(57)【要約】      （修正有）【課題】身体動作を自由にするジャケット／コートを提供する。【解決手段】ジャケット／コート１００は、身体の動作域を広げ、且つジャケットの内側・外側間の通気を提供するよう設計されたものであり、動作域の拡大及び通気性の向上が望まれる場所に、異なる布地／テキスタイル材料を備えるレイヤー構造を用いることにより実現される。このジャケット／コートは、特に、着用者の肩や腕周りの動作域をより広域にする。肉体的要求の高い活動や、着用者の腕や肩の可動域が大きいことが利点となる、任意の活動に用いられるアウターウェアに適用可能である。【選択図】図３
2017053080.tif 000002
【特許請求の範囲】
【請求項１】
ジャケット／コートであって、
スリーブが連続しているパーシャルシュラッグ状部と、
前記パーシャルシュラッグ状部上に延在するべスト部であって、該パーシャルシュラッ
グ状部に連続する前記スリーブの少なくとも前縁部にて、該パーシャルシュラッグ状部に
取り付けされたべスト部と、を備え、
前記スリーブの前縁部が、前記べスト部のアームホールの前縁部に位置合わせされてお
り、前記アームホールの、着用者の肩部の上面及び背面に位置合わせされる部分では、前
記べスト部が前記パーシャルシュラッグ状部に取り付けされていないジャケット／コート
。
【請求項２】
請求項１に記載のジャケット／コートであって、前記パーシャルシュラッグ状部が、該
パーシャルシュラッグ状部の下端部の上方２．５４〜１２．７ｃｍの位置から、該パーシ
ャルシュラッグ状部の襟端部を含む位置まで、歪取り用切欠き部をさらに備えるジャケッ
ト／コート。
【請求項３】
請求項１に記載のジャケット／コートであって、前記パーシャルシュラッグ状部が弾性
布地を含み、前記べスト部が非弾性布地を含むジャケット／コート。
【請求項４】
請求項２に記載のジャケット／コートであって、前記歪取り用切欠き部が「Ｖ」字型で
あるジャケット／コート。
【請求項５】
請求項２に記載のジャケット／コートであって、前記歪取り用切欠き部が前記襟端部の
下方２．５４〜１２．７ｃｍの位置に、弾性スタビライザをさらに備えるジャケット／コ
ート。
【請求項６】
請求項２に記載のジャケット／コートであって、前記パーシャルシュラッグ状部が弾性
布地を備え、前記べスト部が非弾性布地を備えるジャケット／コート。
【請求項７】
請求項６に記載のジャケット／コートであって、前記スリーブの肘上２．５４〜１２．
７ｃｍの領域までが前記パーシャルシュラッグ状部に連続し、前記スリーブの残りの領域
が前記べスト部と同様の材料を含むジャケット／コート。
【請求項８】
請求項７に記載のジャケット／コートであって、前記スリーブが、着用者の肘に対応す
る領域に弾性布地をさらに備えるジャケット／コート。
【請求項９】
ジャケット／コートであって、
スリーブを有するシュラッグ状部と、
前記シュラッグ状部上に延在するべスト部であって、少なくとも前記ジャケット／コー
トを開閉する２つの前縁部にて該シュラッグ状部に取り付けされたべスト部と、を備え、
前記べスト部は、該べスト部のアームホールでは前記シュラッグ状部に取り付けされて
おらず、該シュラッグ状部の前記スリーブは、自由浮動状態にあり且つ前記べスト部の前
記アームホールに完全に位置合わせされているジャケット／コート。
【請求項１０】
請求項９に記載のジャケット／コートであって、前記シュラッグ状部のコアが、弾性及
び柔軟性のあるメッシュタイプの材料からなるジャケット／コート。
【請求項１１】
請求項１０に記載のジャケット／コートであって、前記べスト部及び前記スリーブに熱
充填材をさらに備えるジャケット／コート。
【請求項１２】
ジャケット／コートであって、少なくとも人の体幹を覆うことのできるボディ部と、下
側スリーブ、上側スリーブ及びカバースリーブを含む２つの複合スリーブと、を備えるジ
ャケット／コート。
【請求項１３】
請求項１２に記載のジャケット／コートであって、前記上側スリーブが、弾性及び柔軟
性のあるメッシュタイプの材料からなるジャケット／コート。
【請求項１４】
請求項１３に記載のジャケット／コートであって、前記ボディ部、前記下側スリーブ及
び前記カバースリーブに熱充填材をさらに備えるジャケット／コート。
【請求項１５】
請求項１４に記載のジャケット／コートであって、前記ボディ部、前記下側スリーブ及
び前記カバースリーブが、同様の布地／テキスタイル材料からなるジャケット／コート。
【発明の詳細な説明】
【技術分野】
【０００１】
本発明は、身体の動作域が広がるジャケット及び／又はコートに関する。本発明は、当
該技術分野におけるいくつかの実用的な応用を提供するものであり、アスリート用ウェア
やカジュアルウェア等に限定されるものではない。より具体的には、本発明は、着用者の
肩や腕周りの動作を自由にするアウターウェア、特には、肉体的要求の高い活動や、着用
者の腕や肩の動作域が大きいことが利点となる任意の活動に用いられるアウターウェアに
関するものである。
【背景技術】
【０００２】
屋外では、天気によって追加の衣類を重ね着する必要がある。追加の衣類を重ね着する
と、特に運動又は他の身体活動中に、着用者の身体を締め付ける場合がある。例えば、ゴ
ルフでは、クラブを適切にスイングするためにかなりの動作域が求められるが、降水時や
気候が寒い場合には追加の衣類を重ね着する必要があるため動作域が縮小される。ジャケ
ット／コートは、多用途であって通常はゆったりとしていること、開閉可能な開口部があ
り着脱し易いこと、また、雨や風、雪や温度変化等の環境要素から身体を保護する素材か
ら作られていること等から重ね着用の衣類として人気がある。革、又は撥水性及び／又は
防風性をもたらす材料で処理された合成繊維のような素材を用いることの欠点は、これら
の素材には十分な伸縮性や通気性がないこと、もしくは、あったとしても伸縮性や通気性
が最小限であることにある。そのような限られた伸縮性では、衣服に備わる伸縮性よりも
高い伸縮性を要する活動において非実用的となり得る。さらに、ゴルフのようなスポーツ
では、例えば、動作中に衣服から生じるノイズを制限したい等といった要望を考慮するた
め、ジャケット等に用いることのできる素材が限られている。
【発明の概要】
【発明が解決しようとする課題】
【０００３】
本発明の目的は、雨や風のような環境要素から身体を保護でき、且つ着心地の良いジャ
ケット／コートを提供することにある。本発明に従うジャケット／コートはレイヤー構造
を有することができ、このレイヤー構造では、ジャケット／コートの層間で種類の異なる
布地や材料を用いることができる。これによって、ジャケット／コートにより提供される
保護レベルを損なうことなく、着用者にとって着心地の良いウェアを実現することができ
る。
【課題を解決するための手段】
【０００４】
第１の例において、ジャケット／コートは、コア及び該コアに取り付けられたスリーブ
を有する、第１のパーシャルシュラッグ状部（胸部を覆うフロントピースを有しない）を
備えることができる。スリーブは、長袖、半袖、３／４分袖、又はジャケットの特定のス
タイル及び使用目的に応じて任意の他の長さとすることができる。第１のパーシャルシュ
ラッグ状部は、全体的及び／又は部分的に弾性材料から構築することができる。パーシャ
ルシュラッグ状部及びスリーブは、連続した材料から作ることができる。または、スリー
ブは、歪を引き起こす可能性のある肩部に継ぎ目が生じることを回避するべく、肩部より
下の所定の位置に縫い付けてもよい。
【０００５】
パーシャルシュラッグ状部は、選択的に、歪取り用切欠き部を背面部に有することがで
きる。切欠き部は、例えば三角形状とすることができ、選択的に、該切欠き部を安定させ
るための弾性スタビライザを有することができる。例えば、切欠き部は、その形状を下向
きの三角形状として、ジャケット／コートの襟に近い該三角形の広い方の端を横切る安定
用のゴムバンドを有することができる。
【０００６】
さらに、ジャケット／コートは、パーシャルシュラッグ状部よりも丈が長く、該パーシ
ャルシュラッグ状部に重ねられるべスト部を備えることができる。パーシャルシュラッグ
状部は、該シュラッグ状部の下端部に位置する継ぎ目、該パーシャルシュラッグ状部とべ
スト部の襟元に位置する継ぎ目、及びスリーブのそれぞれの正面領域に対応したアームホ
ールの各々の前縁部に位置する継ぎ目にて、べスト部に取り付けることができる。換言す
ると、ジャケットの背面には、パーシャルシュラッグ状部とべスト部とを付け合わせる継
ぎ目が存在しないため、両スリーブは本質的に自由浮動状態にある。従って、着用者が背
中を曲げたり腕を前方又は任意の他の方向に延ばしたりする必要がある際、これらの動作
を自由に行うことができる。
【０００７】
べスト部は、パーシャルシュラッグ状部と同様の材料から構築すること、又は代替的に
異なる材料から構築することができ、該材料は、弾性及び／又は伸縮性を有するものとす
ることができる。伸縮性材料は、４方向ストレッチのテキスタイル、２方向ストレッチの
テキスタイル、複合材料、シート状材料等とすることができる。パーシャルシュラッグ状
部及びべスト部はともに、本質的に又は防水処理によって耐水性又は防水性とすることが
できる。代替的に、防水性を求める場合、ジャケット／コートの製造に先立ち、材料の内
面に弾性且つ耐水性のあるポリマー材料層を適用することができる。
【０００８】
考えられるところでは、雨又は環境降水、又は他の水源の場合、スリーブが自由浮動状
態にある背面の隙間から水が進入する可能性が潜在的にあり、その水はパーシャルシュラ
ッグ状部とべスト部との間に蓄積され得る。従って、本発明に従うジャケット／コートに
おいては、べスト部の、パーシャルシュラッグ状部とべスト部との間の、下端部の継ぎ目
のわずかに上方に複数の穿孔を設けることができ、これによって水を蓄積させずに流出さ
せることができる。さらに、継ぎ目が形成されたパーシャルシュラッグ状部の下端部は、
排水プロセスにおいて、存在する水を複数の穿孔により効率的に誘導するべく、完全に水
平にするのではなく僅かに角度をつけることができる。複数の穿孔の配置場所に応じて、
審美的及び／又は機能的な観点から上記継ぎ目の角度が調節される。例えば、ジャケット
／コートの背面の中央に穿孔がある場合、継ぎ目の形状は、水を該中央へと誘導するのに
十分な角度の付いた、わずかな半円形又はわずかにフラットな「Ｖ」字状とすることがで
き、水は重力によって下方へと引かれてジャケットの外に排水される。このような構造が
用いられる場合、上記「Ｖ」字状は、ストラップ、メッシュ状の挿入物、剛性端部又は半
剛性端部等によって維持することができる。
【０００９】
本発明に従うジャケット／コートの他の例において、ジャケット／コートは、強靭且つ
柔軟なメッシュ状材料又は他の所望の通気性のある材料から作られた、シュラッグ状部を
備えることができる。シュラッグ状部を構成する材料は、合成繊維及び／又は天然繊維と
することができ、さらに、該材料に弾性を付加するよう弾性繊維を含めることもできる。
ジャケット／コートのスリーブは、該シュラッグ状部のアームホールにて、シュラッグ状
部に取り付けできる。スリーブの長さは、半袖、３／４分丈、長袖等、ジャケット／コー
トに所望の長さとすることができ、弾性や弾力性のような異なる特性を有する異種材料を
繋ぎ合わせてもよい。
【００１０】
ジャケット／コートは、シュラッグ状部の上に、該シュラッグ状部よりも剛性が高く丈
の長いベスト部をさらに備えることができる。シュラッグ状部は、該シュラッグ状部の襟
部、下端部、及び前縁部を除いて、べスト部内で自由浮動状態とすることができる。この
ようなジャケット／コート構造、すなわち、スリーブが肩部にて、比較的剛性の高いべス
ト部から自由浮動状態にある構造によって、特には、着用者が腕を前方に引っ張った際や
腕を肩より上に持ち上げた際における身体の動作域が広がるのみならず通気性を確保でき
る。
【００１１】
また、本発明に従うジャケット／コートの他の例では、厚手の冬用ジャケット／コート
を提供することができる。冬用ジャケットは、寒気を絶縁するべく嵩が大きい傾向にある
ため、必然的に通気性が制限されるとともに、着用者の動作域いっぱいの動きが許容され
ない。従って、本発明に従うジャケット／コートでは、寒冷な気候からの絶縁性を損なう
ことなく、通気性をもたらし及び／又は着用者の身体の動作域を広げることのできる、複
合スリーブを提供することができる。換言すると、スリーブは、下側スリーブ、上側スリ
ーブ、及びカバースリーブの３つの異なるセクションから構成可能である。下側スリーブ
は、絶縁繊維を含むジャケット／コートの他の部分と同様の方法で、且つ同様の材料を用
いて構成することができ、手首から肘までの任意の部分を覆うことができる。また、上側
スリーブは、柔軟且つ弾性のあるメッシュタイプの材料、又は他の通気性のある任意の材
料を含み、継ぎ目によって下側スリーブに取り付けでき、肩までを覆ってアームホール周
りの継ぎ目にてジャケット／コートに取り付け可能である。最後に、カバースリーブは、
絶縁繊維を含むジャケット／コートの他の部分と同様の材料から構成することができ、ち
ょうど上側スリーブのように、スリーブをジャケット／コートのアームホールに接続させ
る継ぎ目にて該ジャケット／コートに取り付け可能である。カバースリーブは、肩部から
、上側スリーブのわずかに下側まで延在して、着用者の腕が身体と平行となる休止位置に
腕がある際に、上側スリーブを完全に隠すことができる。上側スリーブと下側スリーブと
の長さ比は上記したもの以外とすることができ、かかる比に従ってカバースリーブの長さ
も同様に変化させることができる。
【００１２】
本発明に従う複合スリーブを有するジャケット／コートによれば、該ジャケット／コー
トの内側・外側間の通気性を改善することができ、且つ、上側スリーブの柔軟性によって
着用者に提供される柔軟性が高まるため快適性を維持できる。換言すると、本発明に従う
複合スリーブ構造は、着用者の動作に応じてスリーブを伸縮させる（伸長させる）ことに
よって、着用者の動作域を広げるだけでなく、優れた温度調節機能を提供することができ
る。
【００１３】
本発明のさらなる目的、利点、及び新規の特徴を、以下の説明に部分的に記載する。そ
の一部は、当業者が以下の記載を検討することによって明らかになるであろうし、本発明
の実施によって知ることができるであろう。
【００１４】
本発明を、以下の図面を参照して詳細に説明する。
【図面の簡単な説明】
【００１５】
【図１】本発明に従う例示的ジャケット／コートの解体図である。
【図２】図１のジャケット／コートを重ねた正面図である。
【図３】図１のジャケット／コートを重ねた背面図である。
【図４】図１のジャケット／コートの着用状態を示す図である。
【図５】図１のジャケット／コートの着用状態を示す図である。
【図６】図１のジャケット／コートの着用状態を示す図である。
【図７】本発明に従う、他の構造を有する例示的ジャケット／コートの正面図である。
【図８Ａ】図７のジャケット／コートの解体図である。
【図８Ｂ】図７のジャケット／コートの解体図である。
【図９】図７のジャケット／コートの着用状態を示す図である。
【図１０】図７のジャケット／コートの着用状態を示す図である。
【図１１】上側スリーブ及び下側スリーブを備えるスリーブ構造を示す、本発明に従う他のジャケット／コートの図である。
【図１２】図１１のジャケット／コートの着用状態を示す図である。
【図１３】図１１のジャケット／コートの着用状態を示す図である。
【図１４】本発明に従うジャケット／コートにおける、代替的な歪取り用切欠き部の例を示す図である。
【図１５】本発明に従うジャケット／コートにおける、代替的な歪取り用切欠き部の例を示す図である。
【発明を実施するための形態】
【００１６】
本発明は、肩及び腕周りの動作域が広がるジャケット／コートを提供する。動作域を大
きくすることに加えて、本発明に従うジャケット／コートのさらなる利点は、環境要素か
らの保護を損なうことなく通気性を提供することにある。
【００１７】
図１を参照すると、本発明に従うジャケット／コート１００の分解図が示されている。
図１に示すように、ジャケット／コート１００は、２つの主要な構成要素、すなわち、ス
リーブ１２６を備えるパーシャルシュラッグ状部（背面のみを覆う）１２０と、ジャケッ
ト／コート１００の全長をなすべスト部１１０と、を備えている。
【００１８】
パーシャルシュラッグ状部１２０は、べスト部１１０よりも弾性のある材料を含むこと
ができる。さらに、パーシャルシュラッグ状部１２０は、該パーシャルシュラッグ状部１
２０の丸みを帯びた下端部１２２の上方、例えば、およそ１．２７〜１２．７ｃｍの位置
から、当該パーシャルシュラッグ状部１２０の襟端部１２４までを含む、歪取り用切欠き
部１３０を備えることができる。歪取り用切欠き部１３０は、切り欠かれた襟端部１２４
の下方およそ１．２７〜１２．７ｃｍの位置に配置された、弾性スタビライザ１３２によ
って固定することができる。歪取り用切欠き部１３０は、図示するように「Ｖ」字型とす
ることや、所期する目的に適した他の形状とすることができる。弾性スタビライザ１３２
は、省略してもよく、又はメッシュと置換してもよい。歪取り用切欠き部のいくつかの代
替例を、図１４及び図１５に示す。図１４は、伸縮性のあるメッシュインサート１４３２
で固定された襟端部１４２４を有する、Ｖ字型の歪取り用切欠き部１４３０を示している
。図１５は、使用中に形状を維持するよう補強された襟端部１５２４を有する、Ｖ字型の
歪取り用切欠き部１５３０を示している。補強された襟端部１５２４は、レイヤリング、
ラミネート、プラスチックインサート、金属インサート、シームテープ、エラストマ等を
用いて形成することができる。本発明に従うジャケット／コートに用いる歪取り用切欠き
部としては、例示的にＶ字型のものが図示されているが、Ｕ字型のような他の形状のもの
を用いてもよい。
【００１９】
本発明に従うジャケット／コートのスリーブ１２６は、必要に応じて、パーシャルシュ
ラッグ状部１２０と一体化させ、該部分１２０と連続させることができる。スリーブ１２
６は、少なくとも該スリーブ１２６の肘上の上腕部を覆う領域と、肘領域（図示せず）と
、にパーシャルシュラッグ状部１２０と同様の弾性材料を具えることができる。他の例に
おいて、スリーブ１２６は、手首部分までパーシャルシュラッグ状部と同様の弾性材料を
備えることができる。本発明のさらに他の例において、スリーブ１２６は、半袖・長袖に
転換可能であり、例えば、スリーブ１２６を上側スリーブと下側スリーブとに分割する、
ジッパーフラップ付きのジッパーを肘上部分に備えることができる。ジッパーは、着用者
の都合に合せて、下側スリーブ部分をジャケット／コート１００の上側スリーブ部分に取
付け又は取外しするよう用いられる。
【００２０】
本発明に従うジャケット／コート１００の構造について説明する。ジャケット／コート
１００の全長をなすべスト部１１０は、パーシャルシュラッグ状部１２０の上に配置して
、該パーシャルシュラッグ状部１２０の丸みを帯びた下端部１２２及び側端部１２３にて
取り付けすることができる。スリーブ１２６の前縁部１２７は、べスト部１１０に設けら
れたアームホール１１２の前縁部１１３にのみ取り付け可能である。換言すると、本発明
に従うジャケット／コート１００の背面部及び肩部には、継ぎ目がないということである
。従って、パーシャルシュラッグ状部１２０とべスト部１１０との間に「ポケット」（背
面部から肩部にアクセス可能）が本質的に形成されるため、べスト部１１０の、パーシャ
ルシュラッグ状部１２０の丸みを帯びた下端部１２２との継ぎ目のわずかに上側に、穿孔
１１４が設けられている。穿孔部１１４は、ジャケット／コートを雨天時に着用して上記
「ポケット」に水が入った場合に、排水機構として機能し得る。
【００２１】
本発明に従うジャケット／コート１００は、弾性を付加する等、異なる特性を付加し得
る撥水性布地を組合せて形成することができる。撥水性布地における弾性は、実質的に多
方向に作用し得るが、いくつかの方向のみに作用するものとすることができる。例えば、
本発明に従う衣服の構成に用いられる１つ以上の材料は、４方向ストレッチのテキスタイ
ル、２方向ストレッチのテキスタイル、又は所望の特性を有する他の材料を含むことがで
きる。使用するテキスタイルにより、スパンデックス及び／又はスパンデックスブレンド
のような材料選択に基づき、及び／又は、機械的なストレッチ度合いを提供するニットの
ような機械的特性に基づき、所望のストレッチ性を提供することができる。主に単軸に沿
う双方向ストレッチのテキスタイルが選択された場合、ジャケットの着用時における上記
軸は、参照番号１６０で示すように実質的に水平な向き、又は参照番号１６２，１６４で
示すように水平から偏った向きとなる。選択的に、本発明に従うジャケットに用いる他の
テキスタイル部分は、異なるストレッチ特性及び／又は異なる配向を有することができる
。さらに、布地は、エラストマ防水コーティング材を含むことができ、選択的に、少なく
とも布地自体と同様の弾性特性を備えるエラストマ防水コーティング材を備えることがで
きる。本発明に従うジャケット／コート１００を構築する別の継ぎ目は、ステッチング、
よう着（接着材料を使用）又はこれら両方の組合せにより形成することができる。
【００２２】
図２及び図３は、本発明に従うジャケット／コート１００を構築した状態の、正面図及
び背面図をそれぞれ示している。図３は、とりわけ、部分的なシュラッグ状部１２０及び
べスト部１１０が互いにどのように整列して、本発明に従うジャケット／コートに整うの
かを示している。さらに、図４〜６は、本発明に従うジャケット／コート１００を、ユー
ザが着用した状態を示している。図４〜６に見られるように、本発明に従うジャケット／
コート１００は、歪取り用切欠き部１３０を有する弾性のパーシャルシュラッグ状部１２
０を設けること、及び肩部とスリーブと間の継ぎ目を除去することによって、着用者の腕
及び背中の動作域を広げることができる。従って、本発明に従うジャケット／コート構造
は、着用者の任意の動きに対し、必要に応じて衣服の背面を伸縮させることができる。
【００２３】
本発明に従うジャケット／コートの長さは、該ジャケット／コートのべスト部１１０に
よって決まるため、べスト部は、所望のジャケット／コートの特定のスタイルに望ましい
任意の長さとすることができる。例えば、べスト部１１０は、任意の所望の長さとするこ
とができ、例えば、ウエスト位置、ヒップ位置、太股位置、もしくはこれらの間の長さ、
又はこれらよりも長くすることができる。
【００２４】
図７を参照すると、本発明に従うジャケット／コート２００の他の例が示されている。
図７に示されるように、ジャケット／コート２００は、スリーブ２２６が取り付けられた
べストシュラッグ状部２２０（図示せず）上に、べスト部２１０を有することができる。
ジャケット／コート２００は、薄く、熱繊維（合成又はダウン）でキルティングされ、寒
冷な気候を絶縁することができる。さらに、ジャケット／コート２００の外側シェルは、
耐水性や防水性のある生地と、防水性又は防水性でない弾性布地との組み合わせによって
構成することができる。
【００２５】
図８Ａに、べストシュラッグ状部２２０を示す。べストシュラッグ状部２２０は、弾力
性があり且つ柔軟なメッシュ型材料を備えることができる。べストシュラッグ状部２２０
は、スリーブ２２６を取り付けるための２つのアームホール２４０を有する。さらに、べ
ストシュラッグ状部２２０は、下端部２２１、襟端部２２２、及び２つの前縁部２２３を
備え、前縁部２２３は、ジャケット／コートが構築される際に、外側のべスト部２１０と
の接続点となる。図８Ｂには、スリーブ２２６が取り付けられたべストシュラッグ状部２
２０が示されている。図８Ｂに明記されるように、スリーブ２２６は、べスト部２１０と
同様の薄いキルティング構造であり、べスト部２１０と同等の絶縁性を提供する。さらに
、スリーブ２２６は、柔軟且つ伸縮可能な布地材料を、腕の下側に肘領域まで備えること
ができ、これによってかかる領域における、特には腕を上げたり肘を曲げたりする際の柔
軟性が高まる。
【００２６】
さらに、図９及び図１０に示されるように、着用者が本発明に従うジャケット／コート
２００を着用している際、ジャケット／コート２００は、着用者を寒冷な気候から保護す
るのみならず、動作範囲を妨げることがない。これは、べストシュラッグ状部２２０及び
べスト部２１０間のスリーブと肩部に継ぎ目がないためである。また、べストシュラッグ
状部２２０の柔軟なメッシュ構造により、ジャケット／コート２００の内外間で通気がで
きるため温度調節機能が向上する。
【００２７】
図１に示されるジャケット／コート１００のように、図７におけるジャケット／コート
２００の長さもべスト部２１０の長さによって決定される。このように、べスト部２１０
は、ジャケットの特定のスタイル又は要求に応じて任意の所望の長さとすることができる
。
【００２８】
本発明に従うジャケット／コートのさらに他の例には、図１１−図１３に示される厚手
の冬用ジャケット／コート３００がある。冬用ジャケットは、寒冷な気候を絶縁するべく
嵩が大きい傾向にあり、必然的に、通気性が制限されるとともに、着用者の腕や肩の最大
限の動きを許容せず制限的になり得る。従って、本発明に従うジャケット／コート３００
においては、複合スリーブ３３０が設けられ、該複合スリーブ３３０によれば、寒冷な気
候からの絶縁性を損なうことなく、通気性をもたらすとともに着用者の動作範囲を広げる
ことができる。換言すると、スリーブ３３０は３つの異なるセクション、すなわち、下側
スリーブ３３２、上側スリーブ３３４、及びカバースリーブ３３６を備えることができる
。下側スリーブ３３２は、ジャケット／コート３００の他の部分と同様の材料を用いて、
同様の方法で構築することができ、手首から肘を含む腕部分をカバーすることができる。
また、上側スリーブ３３４は、柔軟且つ弾力性のあるメッシュタイプの材料を備え、肘上
の継ぎ目によって下側スリーブ３３２に取り付け可能であり、肘から上の腕部分をカバー
することができるとともに、アームホール３２０周りの継ぎ目にてジャケット／コート３
００に取り付けできる。
【００２９】
最後に、カバースリーブ３３６は、絶縁繊維を含むジャケット／コート３００の他の部
分と同様の材料から構築することもできる。カバースリーブ３３６は、ジャケット／コー
ト３００のアームホールに接続する継ぎ目３２０によって、該ジャケット／コート３００
の他の部分に取り付けできる。カバースリーブ３３６は、肘部から上側スリーブ３３４の
わずかに下まで延在して、着用者の腕が身体と平行な休止位置にあるときに、該上側スリ
ーブ３３４を完全に隠すことができる。上側スリーブ３３４と下側スリーブ３３２の長さ
比は、上述した比以外であってもよい。また、カバースリーブ３３６の長さは、上側スリ
ーブ３３４が隠れる長さに応じて変えることも可能である。
【００３０】
図１２は、ジャケット／コート３００を着用した着用者の腕が、休止位置にある状態を
示す図である。図示されるように、スリーブ３３０の上側スリーブ３３４は、カバースリ
ーブ３３６によって完全に隠れている。図１３は、上側スリーブ３３４を構成するメッシ
ュタイプの材料が、着用者が腕を曲げた際にどのように伸縮でき、それによって衣類の歪
がどのように解消されるのかを示している。
【００３１】
本発明に従う複合スリーブ３３０を有するジャケット／コート３００では、該ジャケッ
ト／コート３００内側・外側間の通気性が改善されるとともに、上側スリーブ３３４を構
成するメッシュ材料の柔軟性によって着用者に対する柔軟性が高まり、快適な着心地を保
つことができる。換言すると、本発明に従う複合スリーブ構造は、温度調節機能を高める
とともに、着用者の動作範囲を広げることができる。
【００３２】
さらに、ちょうど上述したジャケットのように、本発明に従うジャケット／コート３０
０は、所望のスタイル及び被覆率に応じてその長さを異にすることができる。例えば、ジ
ャケット／コート３００を、ウエスト位置、ヒップ位置、太股位置、膝位置、もしくはこ
れらの間の任意の長さ、又はこれらよりも長くすることができる。
【００３３】
以上のことから、本発明が、当該構造に明白且つ固有の他の利点を伴って、本明細書に
記載されたすべての目標及び目的を達成するよう適合されていることが理解されよう。
【００３４】
いくつかの特徴及びサブコンビネーションが有用であり、他の特徴及びサブコンビネー
ションを参照することなく採用できることが理解されよう。これは、本発明の特許請求の
範囲の想定内であり、本特許請求の範囲に含まれるものである。
【００３５】
様々なスタイルのジャケット／コートを、本発明の範囲から逸脱することなく製造する
ことができる。本明細書に記載される事項、又は添付の図面に示される事項はすべて例示
であり、発明を制限するものではないと理解されよう。
【図１】
2017053080.tif 000003
【図２】
2017053080.tif 000004
【図３】
2017053080.tif 000005
【図４】
2017053080.tif 000006
【図５】
2017053080.tif 000007
【図６】
2017053080.tif 000008
【図７】
2017053080.tif 000009
【図８Ａ】
2017053080.tif 000010
【図８Ｂ】
2017053080.tif 000011
【図９】
2017053080.tif 000012
【図１０】
2017053080.tif 000013
【図１１】
2017053080.tif 000014
【図１２】
2017053080.tif 000015
【図１３】
2017053080.tif 000016
【図１４】
2017053080.tif 000017
【図１５】
2017053080.tif 000018
【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
ジャケット／コートであって、
スリーブ及びベストシュラッグ状部を有するシュラッグ状部と、
前記シュラッグ状部上に延在するべスト部であって、少なくとも前記ジャケット／コートを開閉する２つの前縁部にて該シュラッグ状部に取り付けされたべスト部と、を備え、  前記べスト部は、該べスト部のアームホールでは前記シュラッグ状部に取り付けされておらず、該シュラッグ状部の前記スリーブは、自由浮動状態にあり、
前記ベストシュラッグ部は、弾性及び柔軟性のあるメッシュタイプの材料からなるジャケット／コート。
【請求項２】
請求項１に記載のジャケット／コートであって、前記べスト部及び前記スリーブに熱充填材をさらに備えるジャケット／コート。
【請求項３】
ジャケット／コートであって、少なくとも人の体幹を覆うことのできるボディ部と、下側スリーブ、上側スリーブ及びカバースリーブを含む２つの複合スリーブと、を備え、
前記上側スリーブの全周囲は、弾性及び柔軟性のあるメッシュタイプの材料からなるジャケット／コート。
【請求項４】
請求項３に記載のジャケット／コートであって、前記ボディ部、前記下側スリーブ及び前記カバースリーブに熱充填材をさらに備えるジャケット／コート。
【請求項５】
請求項４に記載のジャケット／コートであって、前記ボディ部、前記下側スリーブ及び前記カバースリーブが、同様の布地／テキスタイル材料からなるジャケット／コート。
【外国語明細書】
2017053080000001.pdf